(57)【要約】【課題】嵌合部の取り外しをシャーシの表面側から行うことを可能にする一方で、シャーシから離脱することを防止することを可能にした固定具を得る。【解決手段】ポスト３１の先端に設けられてシャーシの透孔に嵌合される一対の嵌合片３２と、嵌合片３２に対向配置されてシャーシの表面に当接される一対の脚片３４とを備え、脚片３４は嵌合片３２と一体の連係片３３の外側に所要の間隙をもって延長され、内側に向けて弾性変形されたときに連係片３３を介して嵌合片３２を縮径方向に変形可能とされる。脚片３４を指で摘んで内側に変形することで嵌合片３２を縮径方向に変形し、シャーシの透孔に対する固定具の着脱を容易なのもとする。【選択図】　図３
2004060790.tif 000002
【特許請求の範囲】
【請求項１】
ポストと、前記ポストの先端に設けられて径方向に弾性変形可能な矢尻型をした一対の嵌合片と、前記嵌合片にそれぞれ対向配置される一対の脚片とを備え、シャーシ等に設けられた透孔内に挿入されたときに前記嵌合片が径方向に弾性変形して前記透孔に嵌合され、かつ前記脚片との間に前記シャーシ等を挟持する嵌合部を備える固定具であって、前記脚片は前記嵌合片に対して所要の間隙をもって当該嵌合片の外側に沿って延長されるとともに、内側に向けて弾性変形されたときに前記嵌合片を縮径方向に変形可能に構成されていることを特徴とする固定具。
【請求項２】
前記嵌合片には前記透孔の内縁部に嵌合する段部を形成するための連係片を一体に有しており、前記連係片は所要の間隔をもって前記脚片の内面の一部に対向配置されていることを特徴とする請求項１に記載の固定具。
【発明の詳細な説明】
【０００１】
【発明の属する技術分野】
本発明は電子機器等のシャーシに電子部品やケーブル等を実装するために用いるケーブルクランプ等の固定具に関し、特にシャーシに対する着脱を容易にする一方でシャーシから容易に外れることがない固定具に関するものである。
【０００２】
【従来の技術】
電子機器を組み立てる場合には、パネル、シャーシ、基板等の組立基板（以下、これらをシャーシと称する）に電子部品を取り付けたり、ケーブル等の配線部品を延設配置する必要があり、そのために実装用部品が用いられる。例えば、シャーシの表面に沿って複数本のケーブルを並列状態に延設配置する場合には、複数本のケーブルを結束した状態でシャーシへの取着を行うケーブルタイが用いられる。従来のケーブルタイの一例を図９に示す。ケーブルタイ１Ｃは、複数本のケーブルを結束するために他端が自由端とされたバンド部１０と、前記バンド部１０の基端が連結され、バンド部１０を先端から挿通させたときに当該バンド部１０に設けられた図外の鋸歯に嵌合してバンド部１０の抜け出しを防止する係止歯を備えるロック部２０とを備えている。なお、これらバンド部１０及びロック部２０の構成については後述する実施形態のケーブルタイと同じ構成であるので、ここでは説明は省略する。また、前記ロック部２０の下面には嵌合部３０Ｂが設けられており、この嵌合部３０Ｂは、下方に突出したポスト３１の両側に矢尻型に張り出した一対の嵌合片３２を有しており、シャーシ２の表面側から嵌合片３２をシャーシ２に設けた透孔３内に挿入すると、一対の嵌合片３２は弾性により縮径されて透孔３を通され、通過後は弾性復帰して拡径することで嵌合片３２の末端部に設けた段部３２ａが透孔３の内縁部に嵌合する。また、嵌合片３２に対向して設けられているハ字状をした一対の脚片３４がシャーシ２の表面側に当接することで、前記段部３２ａと透孔３との嵌合状態が保持される。
【０００３】
ところで、近年における家電製品、ＯＡ機器、自動車、電子機器全般において環境問題の解決策として環境配慮型製品の販売が義務付けられている中で、例えば、電子機器に内装したプリント基板や配線を電子機器のシャーシやパネル等から解体可能にすることが要求されている。特に、解体作業を容易に行うために、工具等を用いることなく容易に解体することが要求されている。そのため、この種の実装用部品においては、電子機器の組立時にシャーシの透孔に対する取着作業を容易なものにする一方で、電子機器の解体時には素手で容易に外し易くすることが要求されている。このような固定具として、図１０（ａ）に示す固定具の嵌合部は、直線板状のポスト５１の先端両側に矢尻状をした嵌合片５２を形成するとともに、嵌合片５２の先端部に連結した連結片５３とにより段部５２ａを形成し、さらに連結片５３にはそれぞれ両外側に向けられて指で摘むことが可能な解除片５５を一体に設けている。また、ここでは脚片５４は解除片５５から両側に向けて突出する構成としている。この固定具では、透孔３に嵌合片５２を嵌合した状態から解体する際には、同図に鎖線で示すように、解除片５５を指で両側から摘んで内側に変形させることにより、これに連動して嵌合片５２が縮径されるため、この縮径を容易なものとし、嵌合片５２を透孔３から離脱させ易くして環境問題の解決策として有効である。
【０００４】
【発明が解決しようとする課題】
しかしながら、この固定具では、図１０（ｂ）に示すように、外力によって固定具がシャーシに対して傾斜されたような場合に、シャーシの表面に接触している一方の解除片５５が相対的にポスト側に変形された状態となり、この解除片５５に連結されている側の嵌合片もポスト側に変形されてしまう。そのため、傾斜角度がある程度まで大きくなり、解除片５５が相対的にポストに近接された状態になると、連結されている嵌合片５２とポスト５１との間隙も小さくなり、嵌合片５２の段部５２ａが透孔３から外れて固定具が透孔３から脱落されてしまうことになる。結局、嵌合片５２の縮径によって嵌合片５２の嵌合力が低下され、安定した信頼性の高い固定具を得ることが困難になる。なお、以上の問題はケーブルクランプに限らず、同様な嵌合構造を備える固定具の全てについて言えるものである。
【０００５】
本発明の目的は、シャーシに対する取り付け及び取り外しを容易に行うことを可能にする一方で、意に反してシャーシから離脱することを防止した固定具を提供するものである。
【０００６】
【課題を解決するための手段】
本発明は、ポストと、ポストの先端に設けられて径方向に弾性変形可能な矢尻型をした一対の嵌合片と、嵌合片にそれぞれ対向配置される一対の脚片とを備え、シャーシ等に設けられた透孔内に挿入されたときに嵌合片が径方向に弾性変形して透孔に嵌合され、かつ脚片との間にシャーシ等を挟持する嵌合部を備える固定具であって、脚片は嵌合片と所要の間隙をもって当該嵌合片の外側に沿って延長されるとともに、内側に向けて弾性変形されたときに嵌合片を縮径方向に変形可能に構成されていることを特徴とする。例えば、嵌合片は透孔の内縁部に嵌合する段部を形成するための連係片を一体に有しており、当該連係片は所要の間隔をもって脚片の内面の一部に対向配置される構成とすることが好ましい。
【０００７】
本発明によれば、脚片を両外側から指で摘んで脚片を内側に変形することで嵌合片を縮径方向に変形し、シャーシの透孔に対する固定具の着脱を容易なのもとする。また、固定具に外力が加えられて脚片が変形した場合に、脚片が嵌合片に影響を及ぼすことがなく、嵌合片の変形が防止されて固定具が透孔から脱落することが防止される。
【０００８】
【発明の実施の形態】
次に、本発明の実施形態を図面を参照して説明する。図１は本発明の固定具としてケーブルタイに適用した第１の実施形態の斜視図である。また、図２（ａ），（ｂ）はその背面図と側面図、図３（ａ）〜（ｃ）は要部を拡大した正面図、右側面図、底面図である。これらの図において、本実施形態のケーブルタイ１は、図外のケーブルを巻き締め状態にクランプするためのベルト部１０と、このベルト部１０をケーブルを巻き締めた状態にロックするロック部２０と、前記ロック部２０の下部ないし側部に形成された嵌合部３０とで構成されており、各部は樹脂成形により一体に形成されている。そして、シャーシ２に設けられた透孔３に嵌合状態に取着されるようになっている。
【０００９】
前記ベルト部１０及びロック部２０の構成は既に広く知られている構造であり、前記ベルト部１０は、基端部１１が前記ロック部２０に連結された所要幅で所要長さのベルトとして形成されており、先端部１２は若干幅寸法が徐々に縮小されて後述するロック部への挿通が容易にされるとともに、その長さ方向の中間部１４の一側面には鋸歯部１３が長さ方向の所要領域にわたって形成されている。前記ロック部２０は矩形をした筒状部２１を有しており、この筒状部２１の内部には前記ベルト部１０の先端部１２ないし中間部１４を挿通可能な挿通溝２２が形成され、この挿通溝２２内には前記ベルト部１０の鋸歯部１３に嵌合可能な舌片状のロック片２３が内装支持されている。そのため、前記ベルト部１０を図外のケーブルの周囲に沿って曲げ変形させながらその先端部１２からロック部２０の挿通溝２２内に挿通し、ロック片２３と鋸歯部１３とを嵌合させることで、ベルト部１０は挿通溝２２からの離脱が係止され、ケーブルを巻き締めた状態が保持される。
【００１０】
一方、前記嵌合部３０は前記ロック部２０の下面から垂直下方に向けて突出された細長い板状をしたポスト３１と、前記ポスト３１の先端の左右面両から外側斜め上方に向けて延長され、水平方向の断面が前記ポスト３１を中心とした円弧状に形成された矢尻型の一対の嵌合片３２，３２と、前記各嵌合片３２，３２の一部として各嵌合片３２，３２の上端部から突出されて先端部３３ａ，３３ａが外側にＬ字型に曲げ形成された連係片３３，３３と、前記ロック部２０の筒状部２１の両側面から前記連係片３３の両外側に沿って下方に向けられ、かつ前記嵌合片３２，３２の先端部の高さ位置近傍まで延長され、先端が幾分外側に向けられてほぼ円柱状の当接部３４ａ，３４ａを備える一対の脚片３４，３４とを備えている。ここで、前記連係片３３，３３は前記嵌合片３２，３２の上端部よりも薄肉に形成されており、これにより前記嵌合片３２，３２の上端部には連係片３３，３３との肉厚の差に相当する段部３２ａ，３２ａが形成される。また、前記連係片３３，３３の先端部３３ａ，３３ａは厚さ寸法が若干大きくされているとともに、その先端面は前記脚片３４，３４に対して前記ポスト３１の突出方向と垂直な方向に微小の間隙を保って対向配置されている。
【００１１】
以上の構成のケーブルタイ１によれば、ケーブルタイ１をシャーシ２の透孔３に取着する際には、図４（ａ）に示すように、作業者はケーブルタイ１の嵌合片３２，３２をシャーシ２の上面側から透孔３に挿入する。このようにして挿入することにより、嵌合片３２，３２は内径方向に弾性変形されて縮径され、透孔３内の挿入を可能にする。そして、図４（ｃ）に示すように、嵌合片３２，３２が透孔３を貫通すると、嵌合片３２，３２は弾性力によって復元して外径方向に拡径し、段部３２ａ，３２ａがシャーシ２の下面において透孔３の内縁部に嵌合する。また、脚片３４，３４は先端の当接部３４ａ，３４ａが脚片３４，３４の弾性力によってシャーシ２の上面に当接され、嵌合片３２，３２が拡径する方向、すなわち段部３２ａ，３２ａが透孔３の内縁部から外れない方向の力を加えているため、ケーブルタイ１は透孔３に嵌合した状態が保持され、シャーシ２からの脱落が防止される。
【００１２】
しかる上で、図示は省略するが、シャーシ２の上面上に延設しようとするケーブルにベルト部１０を巻き付け、当該ベルト部１０の先端部１２をロック部２０の挿通溝２２に挿入し、ロック片２３と鋸歯部１３とを嵌合させることで、ベルト部１０は挿通方向と逆方向への離脱が係止され、ケーブルを巻き締めた状態が保持される。したがって、ケーブルはケーブルタイ１によってシャーシの上面に保持される。なお、ベルト部１０においてケーブルを巻き締める作業はケーブルタイ１をシャーシに取着する前に行っていてもよく、その上で嵌合部３０を透孔３に挿入して嵌合取着するようにしてもよい。
【００１３】
一方、シャーシ２に対して取着状態にあるケーブルタイ１をシャーシ２から離脱させる際には、図４（ｂ）に示すように、２本の指で脚片３４，３４を外側から摘み、かつ両側から力を加えて脚片３４，３４を内側に変形させる。この変形により脚片３４，３４の内面は連係片３３，３３の先端部３３ａ，３３ａに当接され、脚片３４，３４の変形力は連係片３３，３３に伝えられ、連結片３３，３３が内側に変形されるため、これと一体の嵌合片３２，３２も内側に変形されて縮径され、段部３２ａ，３２ａが透孔３の内縁部から外れる。したがって、そのままケーブルタイ１をシャーシ２の上方に引き上げることで嵌合部３０を透孔３から引き抜くことができ、ケーブルタイ１の取り外しが実現できる。なお、脚片３４，３４を挟んで嵌合片３２，３２を縮径させる操作は、嵌合部３０を透孔３に嵌合させるときに行ってもよい。
【００１４】
また、このケーブルタイ１では、図５に示すように、シャーシ２に取着した状態において、例えば、ケーブルが移動される等によって生じる外力がケーブルタイ１に加わるとケーブルタイ１の全体がシャーシ２に対して傾斜されたとき、一方の脚片３４は先端の当接部３４ａがシャーシ２の表面に沿って移動されながら外側方向に変形される。しかしながら、当該脚片３４の変形は連係片３３から離れる方向であるため、連係片３３及び嵌合片３２に対して何ら影響をおよぼすことはない。したがって、ケーブルタイ１のポスト３１が傾斜されても、一対の嵌合片３２，３２は段部３２ａ，３２ａにおいて透孔３の内縁部に嵌合した状態が保持される。なお、傾斜角度がさらに大きくなると、他方の脚片３４が連係片３３の先端部３３ａに接触する状況も生じるが、この場合には脚片３４から連係片３３に向けておよぼす力は小さいため、連係片３３及び嵌合片３２を曲げ変形するようなことはなく、依然として嵌合片３２による嵌合状態は確保されることになる。したがって、ケーブルタイ１がシャーシ２から離脱されることはない。
【００１５】
したがって、以上のことから、本実施形態のケーブルタイ１は、シャーシ２の透孔３にケーブルタイ１を取着する作業及び当該実装用部品の離脱作業を容易に行うことができ、環境問題の解決策として電気製品のプリント基板や配線をシャーシやパネル等から解体する際の作業を容易にする一方で、取着したケーブルタイ１がシャーシ２から容易に離脱することがなく、ケーブルタイによるケーブル保持の信頼性を向上することが可能になる。
【００１６】
図６は本発明の固定具としてのケーブルタイの変形例を示しており、特に嵌合部３０Ａの変形例を示す図である。ポスト３１及び嵌合片３２は前記実施形態と同じであるが、連係片３３は単純な直線形状に形成されている。一方、脚片３４は前記連係片３３に対向する位置の内面の一部に連係片３３に向けて突出した突起３４ｂが一体に形成されており、この突起３４ｂの先端が前記連係片３３に微小な間隔をもって対向配置されている。なお、突起３４ｂは連係片３３との当接を確実なものにするために、肉厚寸法が若干増大されて、先端面の面積が大きくされている。
【００１７】
この変形例のケーブルタイにおいても前記実施形態と同様にしてシャーシ２の透孔３に対する着脱を行うことができる。特に、離脱する場合には一対の脚片３４，３４を両側から指で挟んで脚片３４，３４を内側に変形することで、突起３４ｂ，３４ｂに当接された連係片３３，３３が内側に変形され、連係片３３，３３と一体の嵌合片３２，３２が縮径されて透孔から容易に離脱させることができる。また、装着状態のときに固定具がシャーシ１に対して傾斜された場合には、脚片３４が外側に向けて変形されても連係片３３及び嵌合片３２に影響を与えることはなく、嵌合片３２が透孔から離脱されるようなこともない。
【００１８】
ここで、前記実施形態では本発明をケーブルタイに適用した実施形態を示してたが、例えば図７に示すようなワイヤサドル１Ａに適用してもよい。ワイヤサドル１Ａはシャーシに沿ってワイヤやケーブルＣを延長支持させるものである。サドル部４０は両側片４２，４２を有する上向きコ字状の本体部４１と、この本体部４１の両側片４２，４２の各上端部からそれぞれ若干下方に向けて内側に突出され、かつ各先端部が互いに重なり状態とされた係止片４３，４３とで構成されており、両係止片４３，４３の間から本体部４１内にケーブルＣを挿通させれば、両係止片４３，４３によってケーブルＣの脱落が防止されるようになっている。
【００１９】
また、図８に示すように本発明を基板サポート１Ｂに適用してもよい。基板サポート１Ｂはシャーシの表面に沿ってプリント回路基板等の基板を沿設支持させるものであり、その上側嵌合部４０Ａが図外の基板に設けられた透孔に基板の下面側から嵌合し、下側嵌合部３０がシャーシの透孔に上面側から嵌合することで基板をシャーシ上に支持するものである。そして、この実施形態では、上側嵌合部４０Ａには、図９に示した従来の嵌合部と同様の構造を採用し、下側嵌合部３０に本発明を適用した構成となっている。すなわち、上側嵌合部４０Ａは、主軸４４の上端部にポスト４５、一対の嵌合片４６，４６、当該嵌合片４６，４６の端部に段部４６ａ，４６ａを形成するための突出片４７，４７、及び一対の脚片４８，４８を形成している。また、前記主軸４４の下端部にポスト３１、一対の嵌合片３２，３２、一対の連係片３３，３３、一対の脚片３４，３４を形成し、これらで本発明にかかる嵌合部３０を形成して基板サポート１Ｂを構成する。
【００２０】
この実施形態では、基板サポート１Ｂの下側嵌合部３０において、前記各実施形態と同様に当該嵌合部３０をシャーシに設けた透孔に取着し、かつ離脱することが可能である。この場合においても、シャーシの透孔に取着されている基板サポート１Ｂが傾斜されようとした場合に、脚片の変形が嵌合片に影響をおよぼすことがないため、嵌合部が透孔から離脱されることが防止される。なお、上側嵌合部４０Ａにおいては、嵌合片４６が基板の透孔を貫通して段部４６ａにおいて透孔の内縁部に嵌合し、脚片４８の当接によって基板を支持するものであることは言うまでもない。
【００２１】
ここで、前記各実施形態では嵌合片と一体に連係片を設け、この連係片に対して脚片を微小間隔で対向配置し、脚片を内側に変形したときに連係片を介して嵌合片を内側に向けて変形した例を示しているが、場合によっては連係片を設けることなく、脚片を内側を変形したときに脚片が嵌合片の一部に直接に接触して嵌合片を内側に向けて変形させるようにしてもよい。
【００２２】
以上本発明を種々の実施形態に基づいて説明したが、本発明の固定具は前記各実施形態に記載の構成に限られるものではなく、シャーシに設けた透孔に嵌合して取着する各種の固定具についても同様に適用できることは言うまでもない。
【００２３】
【発明の効果】
以上説明したように本発明の固定具は、嵌合部を構成する一対の脚片がシャーシに設けられた透孔に嵌合する一対の嵌合片と所要の間隙をもって当該嵌合片の外側に沿って延長されるとともに、内側に向けて弾性変形されたときに嵌合片を縮径方向に変形可能に構成されているので、脚片を両外側から指で摘んで脚片を内側に変形することで嵌合片を縮径方向に変形し、シャーシの透孔に対する固定具の着脱を容易なのもとする。また、固定具に外力が加えられて脚片が変形した場合に、脚片が嵌合片に影響を及ぼすことがなく、嵌合片の変形が防止されて固定具が透孔から脱落することが防止される。これにより、シャーシの透孔に固定具を取着する作業及び当該固定具の離脱作業を容易に行うことができ、環境問題の解決策として電気製品のプリント基板や配線をシャーシやパネル等から解体する際の作業を容易にする一方で、取着した固定具がシャーシから簡単に離脱することがなく、固定具の信頼性を向上した各種電子機器を得ることが可能になる。
【図面の簡単な説明】
【図１】本発明をケーブルタイに適用した実施形態の斜視図である。
【図２】図１のケーブルタイの全体構成の背面図及び側面図である。
【図３】図１のケーブルタイの嵌合部を拡大した正面図、右側面図、底面図である。
【図４】図１のケーブルタイの装着動作を説明する図である。
【図５】図１のケーブルタイの離脱防止動作を説明する図である。
【図６】ケーブルタイの変形例の嵌合部の正面図である。
【図７】本発明をワイヤサドルに適用した実施形態の正面図である。
【図８】本発明を基板サポートに適用した実施形態の正面図である。
【図９】従来のケーブルタイの嵌合部の正面図である。
【図１０】従来の固定具の他の嵌合部の正面図とその動作を説明する図である。
【符号の説明】
１　ケーブルタイ（固定具）
２　シャーシ
３　透孔
１０　ベルト部
１３　鋸歯部
２０　ロック部
２２　挿通溝
２３　ロック片
３０　嵌合部
３１　ポスト
３２　嵌合片
３３　連係片
３４　脚片
Ｃ　ケーブル
【図１】
2004060790.tif 000003
【図２】
2004060790.tif 000004
【図３】
2004060790.tif 000005
【図４】
2004060790.tif 000006
【図５】
2004060790.tif 000007
【図６】
2004060790.tif 000008
【図７】
2004060790.tif 000009
【図８】
2004060790.tif 000010
【図９】
2004060790.tif 000011
【図１０】
2004060790.tif 000012